(57)【要約】【課題】  治具などを用いることなく、自立することが可能な電子部品を提供する。【解決手段】  合成樹脂からなる本体２と、本体２から延出する３本のリード３とを備えた電子部品１において、３本のリード３の中央のリード３ａには、この中央のリード３ａが本体２から離れるに従い他の両端のリード３ｂから離れる方向に折り曲げられた第１の折り曲げ部３ａ１と、この第１の折り曲げ部３ａ１より先端側に、この中央のリード3aが本体２から離れるに従い他の両端のリード３ｂから離れる割合が第１の折り曲げ部３ａによる離れる割合より小さくなるように他の両端のリード側に折り曲げられた第２の折り曲げ部３ｂ１と、を設け、他の両端のリード３ｂの先端側に、これら他の両端のリード３ｂの先端が中央のリード３ａの折り曲げ方向と同一方向に折り曲げられた第３の折り曲げ部３ｂ１を設けたものである。【選択図】  図２
2009038069.tif 000002
【特許請求の範囲】
【請求項１】
合成樹脂からなる本体と、本体から延出する３本のリードとを備えた電子部品において、前記３本のリードの中央のリードには、この中央のリードが前記本体から離れるに従い他の両端のリードから離れる方向に折り曲げられた第１の折り曲げ部と、この第１の折り曲げ部より先端側に、この中央のリードが前記本体から離れるに従い他の両端のリードから離れる割合が前記第１の折り曲げ部による離れる割合より小さくなるように前記他の両端のリード側に折り曲げられた第２の折り曲げ部と、を設け、前記他の両端のリードの先端側に、これら他の両端のリードの先端が前記中央のリードの折り曲げ方向と同一方向に折り曲げられた第３の折り曲げ部を設けたことを特徴とする電子部品。
【請求項２】
合成樹脂からなる本体と、本体から延出する３本のリードとを備えた電子部品において、前記３本のリードの両端のリードには、この両端のリードが前記本体から離れるに従い他の中央のリードから離れる方向に折り曲げられた第１の折り曲げ部と、この第１の折り曲げ部より先端側に、この両端のリードが前記本体から離れるに従い他の中央のリードから離れる割合が前記第１の折り曲げ部による離れる割合より小さくなるように前記他の中央のリード側に折り曲げられた第２の折り曲げ部と、を設け、前記他の中央のリードの先端側に、これら他の中央のリードの先端が前記両端のリードの折り曲げ方向と同一方向に折り曲げられた第３の折り曲げ部を設けたことを特徴とする電子部品。
【発明の詳細な説明】
【技術分野】
【０００１】
本発明は、電子部品に関し、特に３本のリードを有する電子部品を回路基板に半田付けする前に一時的に仮固定する構造を備えた電子部品に関する。
【背景技術】
【０００２】
従来の電子部品として、下記特許文献１記載のものが知られている。従来の電子部品は、合成樹脂からなる本体と、本体から延出する３本のリードとを備え、この３本のリードの内、両端に設けたリードが成す面とは異なる位置となるように、中央に設けたリードを折り曲げてある。そして、この３本のリードを回路基板に設けた貫通孔に挿入し、電子部品を回路基板に仮固定する。このリードを貫通孔に挿入し仮固定した状態で、フロー半田付けによって固定する。
【特許文献１】特開２０００−２２３８１２号公報
【発明の開示】
【発明が解決しようとする課題】
【０００３】
しかしながら、このような電子部品にあっては、電子部品を回路基板に仮固定しているときに、電子部品が傾いてしまい、傾いた状態で半田によって固定されてしまうという虞があったので、電子部品が傾かないように治具を用いて仮固定して半田付けを行うなどの作業を行わなければならないという問題点があった。
【０００４】
そこで、本発明は、これらの問題に鑑みなされたものであり、治具などを用いることなく、自立することが可能な電子部品を提供するものである。
【課題を解決するための手段】
【０００５】
本発明は、合成樹脂からなる本体と、本体から延出する３本のリードとを備えた電子部品において、前記３本のリードの中央のリードには、この中央のリードが前記本体から離れるに従い他の両端のリードから離れる方向に折り曲げられた第１の折り曲げ部と、この第１の折り曲げ部より先端側に、この中央のリードが前記本体から離れるに従い他の両端のリードから離れる割合が前記第１の折り曲げ部による離れる割合より小さくなるように前記他の両端のリード側に折り曲げられた第２の折り曲げ部と、を設け、前記他の両端のリードの先端側に、これら他の両端のリードの先端が前記中央のリードの折り曲げ方向と同一方向に折り曲げられた第３の折り曲げ部を設けたものである。
【０００６】
また、本発明は、合成樹脂からなる本体と、本体から延出する３本のリードとを備えた電子部品において、前記３本のリードの両端のリードには、この両端のリードが前記本体から離れるに従い他の中央のリードから離れる方向に折り曲げられた第１の折り曲げ部と、この第１の折り曲げ部より先端側に、この両端のリードが前記本体から離れるに従い他の中央のリードから離れる割合が前記第１の折り曲げ部による離れる割合より小さくなるように前記他の中央のリード側に折り曲げられた第２の折り曲げ部と、を設け、前記他の中央のリードの先端側に、これら他の中央のリードの先端が前記両端のリードの折り曲げ方向と同一方向に折り曲げられた第３の折り曲げ部を設けたものである。
【発明の効果】
【０００７】
本発明によれば、所期の目的を達成でき、治具などを用いることなく、自立することが可能な電子部品を提供することができる。
【発明を実施するための最良の形態】
【０００８】
以下、添付図面に基づいて本発明の実施形態を説明する。図１は、本発明の実施形態を示すものである。
【０００９】
図１において、本実施形態による電子部品１は、合成樹脂からなる本体２と、本体から延出する３本のリード３とを備えている。３本のリード３は、中央のリード３ａと、この中央のリード３ａの両側に設けられた両端のリード３ｂとで構成されている。４は、電子部品１が実装される回路基板である。回路基板４には、電子部品１のリード３が貫通する貫通孔４ａ１、４ａ２が設けられている。この貫通孔４ａ１、４ａ２は、各リード３ａ、３ｂに対応しており、中央のリード３ａに対応する貫通孔４ａ１と、両端のリード３ｂに対応する貫通孔４ａ２とを備えている。なお、貫通孔４ａ１は１つであり、貫通孔４ａ２は２つ設けられている。
【００１０】
本体２は、トランジスタなどの半導体素子を内部に備えている。３本のリード３は金属製で、前記半導体素子と電気的に接続されたものである。
【００１１】
３本のリード３は、本体２から突出しており、リード３が本体２から突出している位置は、同一直線上に並んでいる。
【００１２】
３本のリード３の中央のリード３ａは、両端のリード３ｂに対して、その先端が互い違いとなるように、折り曲げられている。図２に示すように、中央のリード３ａの先端は、右側に位置し、他の両端のリード３ｂの先端は、左側に位置している。
【００１３】
中央のリード３ａは、第１の折り曲げ部３ａ１と第２の折り曲げ部３ａ２とを備えている。
【００１４】
また、両端のリード３ｂは、先端側に第３の折り曲げ部３ｂ１を備えている。
【００１５】
中央のリード３ａの第１の折り曲げ部３ａ１は、本体２から離れる、すなわち、先端方向に向かうに従い、他の両端のリード３ｂから離れる方向に折り曲げられている。また、第２の折り曲げ部３ａ２は、第１の折り曲げ部３ａ１よりリード３ａの先端側に設けられており、中央のリード３ａが本体２から離れるに従い、他の両端のリード３ｂから離れる割合が第１の折り曲げ部３ａ１によって折り曲げられて離れる割合より小さくなるように、他の両端のリード３ｂ側に折り曲げられている。
【００１６】
両端のリード３ｂに設けた第３の折り曲げ部３ｂ１は、リード３ｂの先端が中央のリード３ａの折り曲げ方向と同一方向に折り曲げられている。特に、中央のリード３ａに設けた第１の折り曲げ部３ａ１と同方向に設けられている。
【００１７】
この第３の折り曲げ部３ｂ１を設けたことによって、中央のリード３ａの先端と両端のリード３ｂの先端との間隔を、回路基板４の各リード３に対応する貫通孔４ａ１、４ａ２との間隔と、ほぼ同等とすることができる。
【００１８】
上記のように構成したことによって、特に、中央のリード３ａの第２の折り曲げ部３ａ２によって、中央のリード３ａが本体２から離れるに従い、すなわち、先端に向かうに従い、他の両端のリード３ｂから離れるので、３本のリード３を回路基板４の各貫通孔４ａ１、４ａ２に挿入した状態で、３本の内、中央のリード３ａが両端のリード３ｂ方向に、両端のリード３ｂが中央のリード３ａ方向に、押すような力を回路基板４の貫通孔４ａ１に加えることで、電子部品１が治具などを用いることなく、自立することができる。
【００１９】
また、両端のリード３ｂに第３の折り曲げ部３ｂ１を設けたことによって、中央のリード３ａの先端と両端のリード３ｂの先端のとの間隔を、回路基板４の各リード３に対応する貫通孔４ａ１、４ａ２との間隔と、ほぼ同等とすることで、電子部品１のリード３を回路基板４の貫通孔４ａ１、４ａ２に挿入しやすくなり、生産性が向上する。
【００２０】
なお、本発明の他の実施形態として、前記実施形態の中央のリード３ａの形状を両端にリード３に適用し、前記実施形態の両端のリード３ｂの形状を中央のリード３に適用したものであっても、前記実施形態と同様の作用効果を得ることができる。
【図面の簡単な説明】
【００２１】
【図１】本発明の第１実施形態の電子部品の正面図。
【図２】同実施形態の電子部品の側面図。
【符号の説明】
【００２２】
１    電子部品
２    本体
３    リード
３ａ  中央のリード
３ａ１  第１の折り曲げ部
３ａ２  第２の折り曲げ部
３ｂ  両端のリード
３ｂ１  第３の折り曲げ部
４    回路基板
４ａ１、４ａ２  貫通孔
【図１】
2009038069.tif 000003
【図２】
2009038069.tif 000004